(57)【要約】【課題】転送効率劣化による混色の影響を防止して高品位な画像を得ることができる固体撮像装置を提供。【解決手段】ディジタルカメラ１０は、操作部２２で感度設定し、この設定した情報をシステム制御部２０に供給し、システム制御部２０にてこの感度設定に応じた制御信号６６を生成し、タイミング信号発生器２４に制御信号６６を送り、制御信号６６に応じた周波数のタイミング信号をＳＧ  ７２で生成し、このタイミングに応じて固体撮像素子３８を駆動するうち、選択した感度設定に応じて水平転送信号の周波数を通常の周波数より低い周波数で生成し、水平転送しても、電子数の減少が少ない特性になっていることから、１段あたりの転送効率を向上させる。【選択図】        図１
2004304247.tif 000002
【特許請求の範囲】
【請求項１】
被写界からの入射光を光電変換し、読み出された撮像信号に信号処理を施して画像信号を得る固体撮像装置であって、該装置は、
前記入射光を光電変換して信号電荷を生成する複数の受光素子が２次元に配設され、該受光素子のそれぞれが複数の感度設定のうちの一つに対応して信号電荷を生成し、該受光素子のそれぞれにて蓄積した信号電荷を垂直方向に転送する垂直転送路に読み出し、該信号電荷を該垂直転送路および該垂直転送路に対して水平方向に配設された水平転送路と順次転送して撮像信号として読み出す固体撮像素子と、
前記複数の感度設定のうち、一つの感度設定を選択し、該選択した感度設定を情報として出力する選択手段と、
該選択した感度設定の情報に応じた制御信号を生成するシステム制御手段と、
該制御信号に応じた前記固体撮像素子における前記信号電荷の転送タイミング信号を生成するタイミング生成手段とを含み、
さらに、該タイミング生成手段は、前記選択した感度設定に応じて水平方向に前記信号電荷を転送する水平転送信号の周波数を通常の周波数より低くすることを特徴とする固体撮像装置。
【請求項２】
請求項１に記載の装置において、前記タイミング生成手段は、前記感度設定における高感度選択に応じて前記水平転送信号の周波数を通常の周波数より低くすることを特徴とする固体撮像装置。
【請求項３】
請求項１または２に記載の装置において、該装置は、前記タイミング生成手段から供給されるタイミング信号を供給先の駆動に応じた電圧に変換して出力する駆動変換手段を含み、
該駆動変換手段は、前記感度設定における高感度選択に応じて水平方向の駆動電圧を上げて、出力することを特徴とする固体撮像装置。
【請求項４】
請求項１、２または３に記載の装置において、該装置は、前記固体撮像素子からの前記撮像信号を画像とし、該画像を領域毎に分けてそれぞれ白色バランスを測定し、該測定に応じて領域の画像に対する色毎のゲインを調整するゲイン調整手段を含み、
前記システム制御手段は、該各領域に含まれる画素に対応する色毎の積算値を生成し、さらに、該積算値と前記色毎のゲインとを乗算して対象値を生成し、該積算値と前記色毎のゲインの逆数比とがほぼ等しい関係において、前記対象値と所定の閾値とを比較して該画像のシーンを判別し、該判別結果に応じて前記タイミング信号に関する前記制御信号を生成することを特徴とする固体撮像装置。
【請求項５】
請求項４に記載の装置において、前記システム制御手段は、該画像のシーンが色ずれの目立つシーンとの判別に応じて前記タイミング信号の周波数を低くする制御信号を生成することを特徴とする固体撮像装置。
【請求項６】
請求項４に記載の装置において、前記システム制御手段は、該画像のシーンが色ずれの目立つシーンとの判別に応じて前記駆動変換手段の出力電圧を上げる制御信号を生成することを特徴とする固体撮像装置。
【発明の詳細な説明】
【０００１】
【発明の属する技術分野】
本発明は、固体撮像装置、とくに、多画素化され、複数の感度を切り換えて設定して撮影するディジタルカメラ等に関するものである。
【０００２】
【従来の技術】
固体撮像素子を搭載したディジタルカメラには、複数の撮影感度を設定できるものがある。ここで、撮影感度とは、フィルム感度として用いられる、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）感度を意味している。ディジタルカメラには、低感度モードと高感度モードを切り換えて用いるものがある。低感度モードはＩＳＯ感度１００〜４００に相当し、高感度モードはＩＳＯ感度８００以上に対応するように分類しているものがある。
【０００３】
このようなディジタルカメラを用いて撮影した場合、露出時間が生成される信号電荷量に反映される。すなわち、一般に低感度モードで撮影すると、画素には長い露出時間に応じて蓄積される信号電荷量が多くなる。また、高感度モードで撮影すると、画素には短い露出時間に応じて蓄積される信号電荷量が少なくなる。
【０００４】
このようにして画素に蓄積した信号電荷は垂直転送路に読み出されて、ＣＣＤ（Ｃｈａｒｇｅ  Ｃｏｕｐｌｅｄ  Ｄｅｖｉｃｅ）で形成された垂直転送路を水平転送路に向かって転送される。蓄積した信号電荷、すなわち電子は、熱拡散などにより時間経過にともなって失われることが知られている。信号電荷量には、時間とともに指数関数的に減少する特性がある。このため、同じ信号電荷量を生成しても、水平転送路近傍の信号電荷量と離れた位置での信号電荷量とに差が生じ、得られる画像の画質を劣化させてしまう。
【０００５】
また、画質劣化は、これだけでない。蓄積した信号電荷は、転送素子のそれぞれに形成されるポテンシャル井戸を介して順次転送されるが、転送素子には、極微量ながら一定量の電子（信号電荷）が残る。このため、信号電荷は、この残りの信号電荷と次の転送による異なる色の信号電荷とが混じって混色を引き起こしてしまう。
【０００６】
これらの原因により、１画素の信号電荷が１段移動（転送）するときの転送劣化を表したものが転送効率である。したがって、転送段数が多ければ多いほど混色が発生しやすくなる。この転送効率は、垂直方向の転送効率に限定されるものでなく、水平方向、すなわち水平転送路においても同様に問題となる。
【０００７】
現在、固体撮像装置は、数百万から千数百万画素の多画素化およびシステムの高感度にともない高い水平転送効率が要求されている。この要求には、水平転送路の駆動周波数を上げてフレームレートを維持しようとしている。
【０００８】
【特許文献１】
特開平６−２６８８２１号公報。
【０００９】
【発明が解決しようとする課題】
しかしながら、固体撮像装置は、歩留まりの点で問題があることに加えて、前述した垂直転送路における転送効率の悪さと同様の原因によって水平転送路においても転送効率を劣化させてしまう。とくに、前述した後者の原因、すなわち一般的に入射光量に依存せずに、ある一定量の信号電荷を転送にともない取り残すことで高感度モードのように少ない信号電荷で画像を生成すると、元々信号電荷慮が少ない分、混色の影響が大きく、顕著になる。この混色は、前述した前者の理由、転送段数が多いほど大きな影響となる。具体的には、画像においてグレーや白色の部分があると、色ずれが目立ってしまう。
【００１０】
本発明はこのような従来技術の欠点を解消し、転送効率劣化による混色の影響を防止して高品位な画像を得ることができる固体撮像装置を提供することを目的とする。
【００１１】
【課題を解決するための手段】
本発明は上述の課題を解決するために、被写界からの入射光を光電変換し、読み出された撮像信号に信号処理を施して画像信号を得る固体撮像装置であって、この装置は、入射光を光電変換して信号電荷を生成する複数の受光素子が２次元に配設され、この受光素子のそれぞれが複数の感度設定のうちの一つに対応して信号電荷を生成し、この受光素子のそれぞれにて蓄積した信号電荷を垂直方向に転送する垂直転送路に読み出し、この信号電荷をこの垂直転送路およびこの垂直転送路に対して水平方向に配設された水平転送路と順次転送して撮像信号として読み出す固体撮像素子と、複数の感度設定のうち、一つの感度設定を選択し、この選択した感度設定を情報として出力する選択手段と、この選択した感度設定の情報に応じた制御信号を生成するシステム制御手段と、この制御信号に応じた固体撮像素子における信号電荷の転送タイミング信号を生成するタイミング生成手段とを含み、さらに、このタイミング生成手段は、選択した感度設定に応じて水平方向に信号電荷を転送する水平転送信号の周波数を通常の周波数より低くすることを特徴とする。
【００１２】
本発明の固体撮像装置は、選択手段で感度設定し、この設定した情報をシステム制御手段に供給し、システム制御手段にてこの感度設定に応じた制御信号を生成し、タイミング生成手段に制御信号を送り、この制御信号に応じた周波数のタイミング信号を生成し、このタイミングに応じて固体撮像素子を駆動するうちで、選択した感度設定に応じて水平転送信号の周波数を通常の周波数より低く生成することにより、読出し完了までの時間を要する駆動が行われても、感度設定にともない生成される信号電荷量、すなわち電子数の減少が少ない特性になっていることから、１段あたりの転送効率が向上する。
【００１３】
【発明の実施の形態】
次に添付図面を参照して本発明による固体撮像装置の一実施例を詳細に説明する。
【００１４】
本実施例は、本発明の固体撮像装置をディジタルカメラ１０に適用した場合である。本発明と直接関係のない部分について図示および説明を省略する。以下の説明で、信号はその現れる接続線の参照番号で指示する。
【００１５】
ディジタルカメラ１０は、図１に示すように、光学系１２、撮像部１４、前処理部１６、信号処理部１８、システム制御部２０、操作部２２、タイミング信号発生器２４、ドライバ２６、モニタ２８およびストレージ３０を含んでいる。
【００１６】
光学系１２には、図示しないがメカニカルシャッタ、光学系レンズ、ズーム機構、絞り調節機構、およびオートフォーカス（ＡＦ：  Ａｕｔｏｍａｔｉｃ  Ｆｏｃｕｓ）調節機構が含まれている。光学系１２は、光学レンズを上述した各種の機構を調整して入射光を撮像部１４に送る機能を有している。
【００１７】
ズーム機構は、図示しないが被写界の画角を調整する。ＡＦ調節機構は、複数の光学レンズの配置を自動的に変位調節して被写体を焦点の合った位置関係に調節する機構である。機構のそれぞれには、上述した位置に光学レンズを移動させるためモータが配設されている。これらの機構は、各モータにドライバ２６からそれぞれ供給される駆動信号３２に応動して動作している。
【００１８】
絞り調節機構は、具体的に図示しないが入射光量を調節するＡＥ（Ａｕｔｏｍａｔｉｃ  Ｅｘｐｏｓｕｒｅ）調節機構であり、ドライバ２６からの駆動信号３４に応じてリング部を回転させる。リング部は、羽根を部分的に重ならせてアイリスの形状を丸く形成し、入射する光束を通すようにアイリスを形成する。このようにして絞り調節機構はアイリスの口径を変えている。絞り調節機構は、メカニカルシャッタをレンズシャッタとして光学系レンズに組み込んでもよい。
【００１９】
メカニカルシャッタは、撮像部１４に撮影のとき以外に光が照射されないように遮光するとともに、露光の開始と終了により露光時間を決める機能を有している。メカニカルシャッタには、たとえば一眼レフカメラで使用されているようなフォーカルプレン式がある。この方式は、シャッタ幕が縦または横に走り、この瞬間にできるスリットで露光を行うものである。また、上述したようにレンズシャッタ式を用いてもよい。メカニカルシャッタは、ドライバ２６から供給される駆動信号３６に応じてシャッタを開閉する。
【００２０】
撮像部１４は、図示しないが光学ローパスフィルタおよび色フィルタが配された固体撮像素子３８を備えている。光学ローパスフィルタは、入射光の空間周波数をナイキスト周波数以下にするフィルタである。固体撮像素子３８は、電荷結合素子（ＣＣＤ：  Ｃｈａｒｇｅ  Ｃｏｕｐｌｅｄ  Ｄｅｖｉｃｅ）で蓄積した信号電荷を垂直転送路に読み出すトランスファゲート（ＴＧ：  Ｔｒａｎｓｆｅｒ  Ｇａｔｅ）が配設されている。固体撮像素子３８にもドライバ２６から駆動信号４０が供給されている。駆動信号４０は、固体撮像素子３８の動作モードに応じた水平駆動信号、垂直駆動信号およびＯＦＤ（Ｏｖｅｒ  Ｆｌｏｗ  Ｄｒａｉｎ）信号等である。撮像部１４は、固体撮像素子３８から得られたアナログ電圧信号４２を前処理部１６に出力する。
【００２１】
ここで、本実施例の固体撮像素子３８は、複数の感度設定が可能なものである。ディジタルカメラ１０は、複数の感度設定をグループに分けてたとえば、ＩＳＯ感度１００〜４００程度の範囲を低感度モード、ＩＳＯ感度８００以上を高感度モードとする感度モード設定を行う機能を有している。さらに後段で固体撮像素子３８の駆動について説明する。
【００２２】
前処理部１６には、ノイズ除去に相関二重サンプリング（Ｃｏｒｒｅｌａｔｅｄ  Ｄｏｕｂｌｅ  Ｓａｍｐｌｉｎｇ：  ＣＤＳ）回路、ゲイン調整アンプ（ＧＣＡ：  Ｇａｉｎ−Ｃｏｎｔｒｏｌｌｅｄ  Ａｍｐｌｉｆｉｅｒ）、およびＡ／Ｄ変換器（Ａｎａｌｏｇ−ｔｏ−Ｄｉｇｉｔａｌ  Ｃｏｎｖｅｒｔｅｒ）が含まれている。ＣＤＳ回路には、タイミング信号発生器２４からサンプリング信号としてＣＤＳパルス４４が供給され、Ａ／Ｄ変換器には、変換クロック信号４６が供給されている。前処理部１６は、供給されるアナログ信号４２に対してノイズ除去、波形整形、ディジタル化を行って得られた撮像データのすべてをディジタルデータ（画像データ）４８として信号処理部１８に出力する。
【００２３】
信号処理部１８は、ＡＷＢ（Ａｕｔｏｍａｔｉｃ  Ｗｈｉｔｅ  Ｂａｌａｎｃｅ）回路（図示せず）を含む評価値算出部５０の他、図示しないが、ガンマ変換部、同時化処理部、補正部、圧縮／伸長処理部、カードインタフェース部、画像縮小部および画像メモリ等を有している。評価値算出部５０は、たとえば予備測光等において供給されるガンマ補正後の画像データに基づいて絞り値・シャッタ速度、ホワイトバランス調整値および階調補正値を算出する演算回路を含み、この演算回路にて、供給される画像データを基に適切な各パラメータを演算処理により積算値を算出する。本実施例において信号処理部１８は、算出された積算値５２をパラメータとしてシステム制御部２０に供給する。とくに、評価値算出部５０においてＡＷＢは、予備測光において供給されるディジタルデータ４８の内、画像を構成する所定の領域のＷＢゲインを決定する機能を有している。
【００２４】
なお、評価値算出部５０は、信号処理部１８への配設に限定することなく、システム制御部２０に配設するようにしてもよい。このとき、信号処理部１８は、ガンマ補正した画像データをシステム制御部２０に供給すればよい。
【００２５】
信号処理部１８には、一般に画像信号としてディジタルデータ４８がデータバスを介して画像メモリに供給される。信号処理部１８における制御は、制御バスを介してシステム制御部２０から供給される制御信号５４に応じて制御される。信号処理部１８には、タイミング信号発生器２４から図示しないタイミング信号が供給されている。このタイミング信号は、水平同期信号ＨＤ、垂直同期信号ＶＤおよび後述する各部の動作クロック等を含んでいる。
【００２６】
前述した各構成について簡単に説明すると、ガンマ変換部は、たとえばガンマ補正用のルックアップテーブルを有している。ガンマ変換部は、画像メモリから供給される画像データをルックアップテーブルのデータを用いてガンマ補正する。ガンマ変換部は、ガンマ補正した画像データを画像メモリに格納する。
【００２７】
本実施例のように撮像部１４に単板式の原色の色フィルタを使用していることから、実際に受光素子（実画素）が配設されていても、配設された色フィルタセグメント以外の色に対応した画素データは存在しない。そこで、同時化処理部は、対象の画素に対して色フィルタセグメントにない原色を周囲の画素データを用いて補間により算出する演算回路を有している。この演算回路により、対象の画素に対する３つの原色が同時に揃えることができる。この処理を同時化と呼んでいる。
【００２８】
また、ディジタルカメラ１０が撮像部１４に、いわゆるハニカム配列の固体撮像素子を配設していると、実際には受光素子のない仮想画素が設定されることになる。同時化処理部は、この仮想画素についても周囲の実画素や補間により得られた画素データを駆使することによって新たな画素データを生成してもよい。同時化処理部は、色Ｇの画素データや輝度データＹを用いて補間処理し、生成する画素データを広帯域化してもよい。同時化した画像データが画像メモリに供給される。
【００２９】
補正部は、同時化した３原色の画像データに所定の係数を乗算し、色差マトリクス処理を行う。また、補正部は、この他にも生成した輝度データＹに対して輪郭強調処理を施したり、生成した色データＣｂ，  Ｃｒに色強調処理を施す機能を有している。補正部は、輝度データＹ、色データ（色差データ）Ｃｂ，  Ｃｒの画像データを画像メモリに供給する。なお、ＲＡＷデータ記録する場合、補正部および圧縮／伸長処理部の処理は行わない。
【００３０】
圧縮／伸長処理部は、静止画や動画（ムービ）モードにおいて供給される画像データ（Ｙ／Ｃ）や色差データ等にＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）やＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）−１，  ＭＰＥＧ−２等の規格でそれぞれ、圧縮処理を施す。圧縮／伸長処理部は、圧縮処理した画像データをカードインタフェース部に供給する。カードインタフェース部は、ストレージ３０のカード記録媒体との書込み／読出しにおける電気的な特性を調整したり、タイミング調整したりする機能を有し、処理された画像データ５６をストレージ３０に出力している。また、圧縮／伸長処理部は、ストレージ部３０に記録した画像データ５６を読み出し、カードインタフェース部を介して伸長処理を施す。この伸長処理は、圧縮処理の逆処理である。
【００３１】
画像縮小部は、生成した画像データや再生にともなって伸長した画像データ（Ｙ／Ｃや色差データ）に対してＲＧＢ変換を行い、このＲＧＢ変換した画像データをモニタ２８が表示可能な画素サイズにする機能を有している。画像表示におけるサイズは、間引き処理によって破綻のない画像を生成する。画像縮小部は、生成した画像データ５８をモニタ２８に供給する。
【００３２】
画像メモリには、ディジタルデータ（画像データ）４８が入力され、一時的に記憶される。また、画像メモリは、前述した各処理では一時記憶した画像データが読み出され、処理後に書き込まれている。画像メモリは、繰り返し読出しを行う場合、不揮発性メモリを用いることが好ましい。
【００３３】
この他、信号処理部１８は、図示しない信号発生回路を制御信号に応動して動作させる。信号発生回路は、複数の周波数を生成することができるＰＬＬ（Ｐｈａｓｅ  Ｌｏｃｋｅｄ  Ｌｏｏｐ）回路を有している。信号発生回路は、源発の発振周波数を基準クロックとして逓倍して複数種類のクロック信号を生成し、図示しないがシステム制御部２０およびタイミング信号発生器２４に出力している。
【００３４】
システム制御部２０は、カメラ全体の汎用な部分やディジタル処理を行う部分を制御するマイクロコンピュータまたはＣＰＵ（Ｃｅｎｔｒａｌ  Ｐｒｏｃｅｓｓｉｎｇ  Ｕｎｉｔ）である。システム制御部２０は、シーン判別部６０や図示しないが係数を格納するＥＥＰＲＯＭや動作手順の指示プログラムを格納するＲＯＭ（Ｒｅａｄ  Ｏｎｌｙ  Ｍｅｍｏｒｙ）等を含んでいる。シーン判別部６０は、ソフトウェア的な処理が可能な処理部で、供給される積算値５２とあらかじめ設定した所定の積算値とを比較し、この比較結果に応じてタイミング信号発生器２４やドライバ２６を制御する。
【００３５】
システム制御部２０は、操作部２２から供給されるモードや操作のトリガを指示する指示信号６２を受けて、指示信号６２に応じてディジタルカメラ１０を静止画撮影モード、動画撮影モード、低感度モードおよび高感度モード等に設定し、図示しないレリーズシャッタボタンから撮像タイミングの報知を受けて、積算値５２に応じた制御信号５４，  ６６，  ６８をそれぞれ、生成する。生成した制御信号５４，  ６６，  ６８は、それぞれ、信号処理部１８、タイミング信号発生器２４およびドライバ２６に供給される。
【００３６】
システム制御部２０は、信号処理部１８内におけるライン補間や信号発生回路に対する制御および信号処理を行う上での制御も考慮した制御信号５４を生成し、ストレージ３０における制御信号７０により読出し／書込み制御も行っている。また、図示しないが、システム制御部２０は、前処理部１６における動作タイミング制御も行っている。
【００３７】
操作部２２は、図示しないがモード選択部およびレリーズシャッタボタンを含んでいる。モード選択部は、静止画撮影モードおよび動画撮影モード、ならびに低感度モードおよび高感度モード等のようにいくつかあるモードのうち、いずれのモードにするか選択を行う。この低感度モードおよび高感度モードの選択は、ＩＳＯ感度を考慮して対応設定することになる。また、モード選択は、たとえばＩＳＯ感度１００〜１６００まで設定することができる。モード選択部は、選択したモードを指示信号６２としてシステム制御部２０に出力する。
【００３８】
レリーズシャッタボタンは、２段階のストロークを有するボタンで、第１段のストロークでディジタルカメラ１０を予備撮像の段階（Ｓ１）にし、第２段のストロークで本撮像の段階（Ｓ２）にするトリガタイミングを指示信号６２としてシステム制御部２０に出力する。操作部２２には、この他、ズーム選択スイッチおよび十字ボタンを設けてもよく、液晶表示パネルに表示される条件を選択する機能を持たせてもよい。
【００３９】
タイミング信号発生器２４は、タイミング信号の動作周波数を生成する発振器（ＳＧ：  Ｓｉｇｎａｌ  Ｇｅｎｅｒａｔｏｒ）７２を含む。ＳＧ  ７２は、制御信号６６に応じて発振周波数を変える機能を有している。ＳＧ  ７２は、たとえばとくに水平転送信号の生成において通常に使用する第１周波数とこの周波数の半分程度に低下させた第２周波数を発振する。タイミング信号発生器２４は、低感度モードで第１周波数と、高感度モードで第２周波数とに基づく水平転送信号を生成し、ドライバ２６に供給している。具体的に、第１周波数をたとえば３  ＭＨｚとし、第２周波数を２倍の６  ＭＨｚと整数倍の関係にするとよい。
【００４０】
また、タイミング信号発生器２４は、基準とするクロック信号（図示せず）を基に各種のタイミング信号を生成する。タイミング信号には、水平転送信号の他、垂直同期信号、水平同期信号、フィールドシフトパルス、垂直転送信号、および電子シャッタパルス等がある。また、タイミング信号発生器２４は、ＣＤＳパルス４４および変換クロック信号４６も生成して前処理部１６に供給している。タイミング信号発生器２４は、これら生成した垂直同期信号、水平同期信号、フィールドシフトパルス、垂直転送信号、水平転送信号および電子シャッタパルスを含むタイミング信号７４をドライバ２６に供給している。
【００４１】
ところで、固体撮像素子に供給する駆動パルス信号の周波数を読取り動作期間と読取り待機期間とで切り換えて固体撮像素子およびその周辺回路での発熱量を後者の期間中に抑制して固体撮像素子を駆動させる画像読取り装置の構成が提案されている（特許文献１を参照）。この構成は、各期間に応じた周波数の駆動パルス信号を供給するように２つの発振器２，  ３を設け、２つの発振器２，  ３がそれぞれに出力する発振クロックをスイッチング回路４の端子に供給する。スイッチング回路４は、読取り制御回路６からの制御信号に応じて端子の一つに切り換えてＣＣＤ駆動パルス発生回路７に発振クロックを供給している。
【００４２】
特許文献１の構成は、本実施例のタイミング信号発生器２４の構成と複数の周波数を生成し、使用期間に応じて生成した周波数を異ならせる点で類似している。しかしながら、特許文献１は発熱にともない生じる不安定な画質を向上させるものであり、本実施例のタイミング信号発生器２４は信号電荷の読出しにより生じる色ずれ対策に基づくものであり、その発想はまったく違うものである。特許文献１を本実施例に適用しても、本実施例の混色は改善されない。
【００４３】
ドライバ２６は、供給されるタイミング信号７４や制御信号６８を基に駆動信号３２〜３６，  ４０を生成する駆動回路を有している。ドライバ２６は、制御信号６８を基に駆動信号３２，  ３４，  ３６を光学系１２の光学レンズおよび絞り調節機構にそれぞれ供給してＡＦ調節やＡＥ調節を行わせる。ドライバ２６は、操作部２２のレリーズシャッタボタンから供給される本撮像のタイミングに応動してメカニカルシャッタの開閉を行う駆動信号３６をメカニカルシャッタに出力する。
【００４４】
また、ドライバ２６は、タイミング信号７４を基に生成した駆動信号４０を撮像部１４の固体撮像素子３８に供給し、各受光素子の感光領域に信号電荷を露光期間中に蓄積させ、蓄積した信号電荷を前述した条件に応じた制御により垂直転送レジスタに読み出して、水平転送レジスタに転送させ、さらに水平転送レジスタ、出力アンプを経てアナログ電圧信号４２を出力している。
【００４５】
本実施例のドライバ２６は、制御信号６８に応じて駆動信号４０の内、水平駆動電圧を変化させている。図示しないが、ドライバ２６は、水平駆動信号を出力する駆動回路に供給する電圧を２種類設けて、切換スイッチの一端側に高電圧を印加し、他端側に低電圧を印加する。切換スイッチは、制御信号６８により切り換える。本実施例で印加する電圧範囲は３Ｖ〜５Ｖの範囲である。水平駆動信号を出力する駆動回路には、高感度モードで高電圧（５Ｖ）を供給し、低感度モードで低電圧（３Ｖ）を供給するように切り換える。この構成は、タイミング信号発生器２４がＩＳＯ感度設定に対応していない場合、有効である。すなわち、ＩＳＯ感度設定に対応した水平駆動信号の生成は、タイミング信号発生器２４およびドライバ２６のいずれか一方に備えていればよい。
【００４６】
モニタ２８は、図示しない表示コントローラにより供給される画像データ５８が表示デバイスにて動作することにより画像表示される。モニタ２８には、一般的に液晶モニタが用いられる。液晶モニタには、液晶表示コントローラが配設されている。液晶コントローラは、画像データ５８を基に液晶分子の並び方や電圧の印加によりスイッチング制御している。この制御により液晶モニタは、画像を表示する。モニタ２８は、液晶モニタに限定されず、小型、画像の確認および電力の消費が抑えられる表示機器であれば、十分に用いることができることは言うまでもない。
【００４７】
ストレージ３０は、半導体メモリ等を記録媒体として用いて、信号処理部１８から供給される画像データ５６を記録する。記録媒体には、光ディスクや光磁気ディスク等を用いてもよい。ストレージ３０は、各記録媒体に適したピックアップやピックアップと磁気ヘッドを組み合わせて記録再生用ヘッドを用いてデータの書込み／読出しを行う。データの書込み／読出しは、図示しないがシステム制御部２０の制御に応じて行われる。
【００４８】
この構成によりＩＳＯ感度または感度モードに応じて水平転送信号の周波数を切り換えて１段あたりの転送効率を向上させて、画質劣化の影響を抑えている。
【００４９】
次にディジタルカメラ１０の動作について図２および図３を参照しながら説明する。図２に示すディジタルカメラ１０には、電源投入後、自動的に初期設定が施される。また、図示しないが、ユーザは、ディジタルカメラ１０の操作部２２を介してＩＳＯ感度の設定をマニュアル操作により設定する。このとき、ディジタルカメラ１０は、設定したＩＳＯ感度から感度のモードを低感度モードおよび高感度モードのいずれか一方のモードに設定する。
【００５０】
このような設定の後、ディジタルカメラ１０は、予備測光の操作が行われたか否かを判断する。すなわち、操作部２２のレリーズシャッタボタンが第１段ストローク分、押圧操作（Ｓ１操作）されたかを判断する（ステップＳ１０）。Ｓ１操作されていない場合（ＮＯ）、この判断工程で待機する。Ｓ１操作された場合（ＹＥＳ）、駆動周波数決定処理に進む（サブルーチンＳＵＢへ）。
【００５１】
駆動周波数決定処理では、簡単に決定する場合、感度モードで判断する。高感度モードで駆動周波数を低い周波数に設定し、低感度モードでは高感度モードの駆動周波数より高い周波数にする。単に感度モードで判断するのでなく、個々の画像に応じて駆動周波数を決定するようにすることがより好ましい。この観点での処理についてはさらに後段で説明する。
【００５２】
次に本撮像の指示の有無を判断する（ステップＳ１２）。本撮像は、操作部２２のレリーズシャッタボタンが第１段ストロークよりも深い第２段ストロークまで押圧操作（Ｓ２操作）されたか否かを判断する。Ｓ２操作されていない場合（ＮＯ）、この判断工程で待機する。Ｓ２操作された場合（ＹＥＳ）、ディジタルカメラ１０は、図示していないがシステム制御部２０にて予備測光のパラメータに基づいて固体撮像素子３８を制御し、露出を開始する。露出の終了は、たとえばメカニカルシャッタの閉じるタイミングで決まる。
【００５３】
この露出後、露出期間中に蓄積した信号電荷を読み出す（ステップＳ１４）。固体撮像素子３８の水平転送レジスタ（図示せず）に供給される水平駆動信号は、前述のサブルーチンにて決定した駆動周波数で供給されている。固体撮像素子３８を低い周波数（または高感度モード）で水平駆動し、読出し時間を要しても、信号電荷量（電子数）の減少が少ないことから、画質を保つことができる。
【００５４】
また、この場合、信号電荷量が少ないと、信号電荷の水平転送中に生じる極微量の残留電荷の影響は相対的に大きい。このような混色に対しては、固体撮像素子３８に使用する色フィルタセグメントの色毎に水平転送レジスタを設ける。３原色ＲＧＢの場合、３つの水平転送レジスタと、各水平転送レジスタとの間にシフトゲートとを設けて同色同士の信号電荷をに転送するとよい。従来の転送段数分、混色が発生した信号電荷読出しに比べて混色の機会を大幅に減らすことができる。ポテンシャル井戸の形成は、画像として読み出す順序を考慮して行うとよい。
【００５５】
なお、垂直転送レジスタの駆動は、色フィルタセグメントの色配列を考慮して行うことは言うまでもない。たとえばＧストライプＲＢ完全市松パターンの場合、ディジタルカメラ１０は、低感度モードで全画素読出しを行い、高感度モードでインタレース読出しを行う。後者の読出しは、各フィールドの読出しが同色の信号電荷による電荷混合になることから、混色が生じず、画質劣化を起こさない。
【００５６】
読み出した信号電荷は、固体撮像素子３８の出力アンプ（フローティングディフュージョンアンプ）に供給され、アナログ電圧信号４２に変換される。アナログ電圧信号４２が前処理部１６を介して得られたディジタルデータ４８を信号処理部１８に送る。
【００５７】
信号処理部１８では、供給されるディジタルデータ４８にガンマ補正等の処理、マトリクス処理および圧縮処理を施し、輝度データおよび色差データを生成する（ステップＳ１６）。また、信号処理部１８では、マトリクス処理後の輝度データおよび色差データからモニタ表示用のＲＧＢのデータを画像縮小部にて生成する。
【００５８】
次に前者の圧縮した画像データ５６をストレージ３０に配設されている記録媒体に記録する（ステップＳ１８）。そして、後者の画像縮小した画像データ５８をモニタ２８に表示する（ステップＳ２０）。このように記録・表示を経てディジタルカメラ１０における１枚の撮影処理を終了する。
【００５９】
次に駆動周波数決定処理の手順を説明する。図３に示すように、予備測光を行う（サブステップＳＳ１０）。予備測光は、固体撮像素子３８に配設された受光素子の内、有効画面領域を分割して複数のエリアを設け、各エリアのＲＧＢ積算値をそれぞれ読み取る。
【００６０】
次に予備測光から得られたＲＧＢそれぞれのデータに対するホワイトバランスを調整し、決定する（サブステップＳＳ１２）。この決定は、評価値算出部５０で行う。各ゲインは、たとえばＲ：Ｇ：Ｂの比で表す。
【００６１】
この後、シーン判別部６０で混色の目立つ画像か否か判断する（サブステップＳＳ１４）。混色は、白色やグレーの領域で目立つ傾向が知られている。判断には、各エリアのＲＧＢ積算値と決定したホワイトバランスゲインとを乗算した対象値を使用する。また、あるグレーの領域が多い画像におけるＲＧＢ積算値とホワイトバランスゲインとを乗算した値を所定の閾値としてあらかじめ設定する。この判断は、各エリアのＲＧＢ積算値とＷＢゲインＲ：Ｇ：Ｂの逆数比（１／Ｒ：１／Ｇ：１／Ｂ）とがほぼ等しい関係において、対象値と閾値とを比較する。
【００６２】
測定する画像における対象値が閾値より大きいとき混色の目立つ画像と判断して（ＹＥＳ）、遅い駆動周波数設定に進む（サブステップＳＳ１６へ）。また、この対象値が閾値以下のとき混色が目立たない画像と判断する（ＮＯ）。これに応じて通常の駆動周波数設定に進む（サブステップＳＳ１８）。
【００６３】
遅い駆動周波数設定では、たとえば対象の画像に対してフラグを０に設定する（サブステップＳＳ１６）。また、通常の駆動周波数設定では、たとえば対象の画像に対してフラグを１に設定する（サブステップＳＳ１８）。このフラグを制御信号６６としてＳＧ  ７２に出力する。この出力後、リターンに移行してサブルーチンを終了する。
【００６４】
なお、本実施例で通常の駆動周波数を低感度モードに設定したが、高感度モードに設定してもよい。この場合、低感度モードの周波数は、通常の駆動周波数に比べて２倍程度高い周波数を生成するように設定するとよい。
【００６５】
以上のように構成することにより、水平転送における駆動周波数を感度設定に応じて切換制御して混色の影響を大幅に低減することができる。この混色の影響は、駆動周波数に限定されるものでなく、駆動電圧の切換制御でも同様に抑制することができる。
【００６６】
これにより、同じ被写体を撮影しても感度により色味が異なる問題を改善することができる。
【００６７】
また、ＲＧＢの積算値とあらかじめ設定した閾値とを比較することにより、単に感度設定するよりも、実際の画像が有する混色の発生の可能性に則して判断することができる。
【００６８】
【発明の効果】
このように本発明の固体撮像装置によれば、選択手段で感度設定し、この設定した情報をシステム制御手段に供給し、システム制御手段にてこの感度設定に応じた制御信号を生成し、タイミング生成手段に制御信号を送り、この制御信号に応じた周波数のタイミング信号を生成し、このタイミングに応じて固体撮像素子を駆動するうちで、選択した感度設定に応じて水平転送信号の周波数を通常の周波数より低く生成して、読出し完了までの時間を要する駆動が行われても、感度設定にともない生成される信号電荷量、すなわち電子数の減少が少ない特性を反映させて１段あたりの転送効率を向上させて、混色の影響を大幅に低減することができる。これにより、多画素化およびシステムの高感度化にともなう画質劣化しない固体撮像装置を提供することができる。
【図面の簡単な説明】
【図１】本発明に係る固体撮像装置を適用したディジタルカメラの概略的な構成を示すブロック図である。
【図２】図１のディジタルカメラにおける動作手順を説明するフローチャートである。
【図３】図２に示したサブルーチンの具体的な動作手順を説明するフローチャートである。
【符号の説明】
１０  ディジタルカメラ
１２  光学系
１４  撮像部
１６  前処理部
１８  信号処理部
２０  システム制御部
２２  操作部
２４  タイミング信号発生器
２６  ドライバ
３８  固体撮像素子
５０  評価値算出部
６０  シーン判別部
７２  ＳＧ（信号発生器）
【図１】
2004304247.tif 000003
【図２】
2004304247.tif 000004
【図３】
2004304247.tif 000005